(57)【要約】本発明は、信号受信機のフレーム内に配置された印刷された回路ボードの接続を形成するための装置に関する。装置は、終点部分が曲がっている複数の接続要素（３ａ乃至３ｋ）を有し、各終端部分は少なくとも一つの突出（５）を備えて提供される。毎回、２つの接続要素（３ａ乃至３ｋ）との間には、終端部分がさらに曲げられた、それぞれのディテイナー（４ａ乃至４ｊ）が提供される。接続要素（３ａ乃至３ｋ）の終端部分は、ディテイナー（４ａ乃至４ｊ）の終端部分によって定義される平面に対して平行に延在する平面を定義する。
2005518649.tif 000002
【特許請求の範囲】
【請求項１】
曲がった終端部分を有する複数の接続要素と、
２つの接続要素間に毎回提供される曲がった終端部分を有するそれぞれのディテイナーと、
前記ディテイナーの前記終端部分によって定義される平面に対して平行に延在する、平面を定義する前記接続要素の前記終端部分と、
を有する装置。
【請求項２】
前記装置は、一つの部分で構成されることを特徴とする請求項１に記載の装置。
【請求項３】
前記接続要素及びディテイナーは、Ｌ字型であることを特徴とする請求項１に記載の装置。
【請求項４】
前記接続要素、前記ディテイナー及び前記接続ストリップは、電気的に伝導性の物質から均一に構成されることを特徴とする請求項１に記載の装置。
【請求項５】
前記接続要素の各終端部分は、少なくとも一つの突出を備えて提供されることを特徴とする請求項１に記載の装置。
【請求項６】
フレームに接続した装置を備える信号受信機のための印刷された回路ボードを特に受けるための前記フレームを含む配置であって、前記装置は、
曲がった終端部分を有する複数の接続要素と、
２つの接続要素間に毎回提供される曲がった終端部分を有するそれぞれのディテイナーと、
前記ディテイナーの前記終端部分によって定義される平面に対して平行に延在する、平面を定義する前記接続要素の前記終端部分と、
から構成されることを特徴とする配置。
【請求項７】
フレームを備える印刷された回路ボードの接続要素の製造方法であって、
曲がった終端部分を有する複数の接続要素、２つの接続要素間に毎回提供される曲がった終端部分を有するそれぞれのディテイナー、及び前記ディテイナーの前記終端部分によって定義される平面に対して平行に延在する、平面を定義する前記接続要素の前記終端部分を有する装置は、前記フレームに接続されて、前記接続要素は、前記印刷された回路ボードに挿入され、前記装置は、前記ディテイナーを介して前記フレーム及び／又は前記印刷された回路ボード上に支持され、
前記接続要素は、前記装置から分離される、
ことを特徴とする方法。
【発明の詳細な説明】
【技術分野】
【０００１】
本発明は、別の電気的な構成部分に対して印刷された回路ボードを接続するための接続要素を形成するための装置に関する。本発明はまた、印刷された回路ボードの接続要素を形成するための装置を備える信号受信機のためのフレームを含む配置に関し、さらに、印刷された回路ボードの接続要素の形成方法に関する。
【背景技術】
【０００２】
この上述した種類の信号は、実際にすべての電気的信号を処理し、また一層の処理のための他の電気的な構成部分にそのような信号を転送する。そのような他の電気的な構成部分は、別の印刷された回路ボードであってよく、例えば、いわゆるテレビジョンセットのメインボード又はＰＣのＴＶカードである。信号受信機自体は、様々なＳＭＤ（表面設置型装置（Surface  Mounted  Device））が印刷された回路ボードの表面に設置されたフレームから構成される。
【０００３】
印刷された回路ボードの設置において、第一のハンダペーストは、スクリーン印刷方法を使用する一方で、所定のパターンで印刷された回路ボードに沈着される。その結果として、ＳＭＤは印刷された回路ボードに位置し、非伝導性の接着剤の手段によって印刷された回路ボードの表面にできる限り固定され、次いで、装置の接続は、印刷された回路ボード上に印刷されたハンダペーストのパターンを備えて、与えられた位置で接触する。装置自体とそれらの接続は、印刷された回路ボードの同じ側に位置する。その結果として、いわゆる、リフロー・ハンダ付け処理が実行される。次いで、印刷された回路ボード上のハンダは、適切な炉での熱の適用によって溶解され、したがってＳＭＤと印刷された回路ボードとの間に固定された電気的にハンダ付けされた接続を形成する。
【０００４】
信号受信機と他の回路構成部分との間の信号の転送は、印刷された回路ボードから構成部分に電気信号を伝導する装置の使用を必要とする。このために、ハンダペーストの適用後に印刷された回路ボード上に薄いプラスチックストライプに埋め込まれて、ＳＭＤと共に配置される、接続要素またはピンストライプを備える周知の実施態様が提供される。次いで、プラスチックのストリップは接続要素のためのガイドとして作用し、且つフレームに対する絶縁の接続を提供する。
【０００５】
追加的な表面エリアが必要な印刷された回路ボード上で占有されることが問題点であり、さらにプラスチックストリップの問題となる耐性、例えば、接続要素間の距離、曲がったプラスチックストリップ、処理中における原材料で生じる変動が問題点である。さらなる欠点は、この原材料はリフロー・ハンダ付け処理中に生じる高温で液化しないので、使用するプラスチック物質の追加的なコストにある。そのような追加的なコストは無視することができない、つまり、特に大量生産の場合において無視できない。代替として、リフロー・ハンダ付け処理の完了した後にだけ手動で印刷された回路ボード上にハンダ付けされる個別の接続要素を使用することが周知であるが、しかしながら、これは労働力の追加的なコストを引き起こす。
【発明の開示】
【発明が解決しようとする課題】
【０００６】
本発明の目的は、信号受信機のフレーム内に配置された印刷された回路ボードの接続を形成するための装置を提供することであり、かかる装置は機械的な高安定性、高い熱強度を有し、可能な限り経済的に設置できる。
【課題を解決するための手段】
【０００７】
この目的は、上述の装置が、曲がった終端部分を有する複数の接続要素と、２つの接続要素間に毎回提供される曲がった終端部分を有するそれぞれのディテイナー（detainers）と、ディテイナーの終端部分によって定義される平面に対して平行に延在する、平面を定義する接続要素の終端部分と、を有することで達成される。
【０００８】
装置の設置段階で、接続要素は、接続要素のために提供される印刷された回路ボードの複数の孔に挿入される。次いで、印刷された回路ボードは信号受信機のフレーム内に位置し、その結果、接続要素は、フレーム上に重みがかかるディテイナーを介して、フレーム又は印刷された回路ボード上に重みがかかる。接続ストリップは、ディテイナーをガイドし位置付けを安定化するための役割をする。
【０００９】
印刷された回路ボードに装置の接続要素を挿入した後、ハンダ付け処理は、フレームと、印刷された回路ボードと、接続要素が互いにハンダ付けされる段階で実行される。ハンダ付け処理の終了後、接続ストリップは分離され、ディテイナーが除去される。
【００１０】
接続要素がディテイナーによって支持されているために、装置の全体は、適切な手法で印刷された回路ボード上に提供できる。装置の所望でない曲がりは、接続ストリップによるのと同様に、ディテイナーによって妨げられる。そのような装置の製造は非常に簡素であり、信号受信機の製造コストが削減される。
【００１１】
装置は、一つの部分からのみ構成され、例えば、金属シートなどの電気的に伝導性物質から均一に形成される。必要なときに、原材料から全体的にパンチされ曲げられる。接続要素と接続ストリップの差との間に変化は顕著なほどは無いので、これは、接続要素の高安定性を導く。
【００１２】
単一の原材料だけの使用の理由で、異なる熱膨張係数が装置内に生じないので、装置は機械的な負荷にそれほど従わない。この特徴は、ハンダ付け処理の段階で顕著なほど明白になる。同時に、高まった温度の安定性は適切な原材料を選択することによって達成できる。
【００１３】
接続要素とディテイナーは好ましくはＬ字型である。ディテイナーが直角のフレームで支持機能を実行でき、その結果、装置全体が印刷された回路ボードに接続要素を導入する段階で安定化できるために、接続要素とディテイナーのためのＬ字型の使用は、設置段階での装置の安定性を保証する。
【００１４】
請求項５と一致する実施態様は、終端部分の突出が接続要素のさらなる適用で接続要素の位置に接続要素を安定化するという利点を提供する。メインボード（例えば、テレビジョンセット、ＰＣボード）上のモジュール（例えば、信号受信機）の設置は、ハンダ付け操作の手段によって実行できる。次いで、ハンダ付けされた接続の液化により、接続要素が印刷された回路ボードから離脱するか、又は落ちることができるように、接続要素は再度加熱される。終端部分の段階的な突出の結果、接続要素は印刷された回路ボード上に重みがかかり、ハンダ付けした接続が液化した場合に接続要素の位置は変化しない。
【００１５】
本発明はまた、フレームに接続した装置を備える信号受信機のための印刷された回路ボードの受け取りを特に目的としたフレームを含む配置に関する。次いで、装置は、互いに等距離で配置された複数の直角の接続要素から構成される。接続要素は、印刷された回路ボードと、例えば、他の印刷された回路ボードである、別の構成部分との間の電気的な接続として役立つ。２つの接続要素間に、装置の位置を安定化するために役割をするそれぞれのディテイナーが提供される。接続要素は、装置の接続ストリップによってフレーム及び印刷された回路ボードでガイドされる。接続ストリップはフレーム上のディテイナーを位置付けし安定化する。
【００１６】
本発明はまた、信号受信機のフレームに対する接続のための印刷された回路ボードの接続要素の製造方法に関する。曲がった終端部分を備える複数の接続要素と、２つの接続要素間に毎回曲がった終端部分を有するそれぞれのディテイナーとを有する装置は、接続要素のハンダ付けに先立ってフレームに付加される。接続要素の終端部分は、ディテイナーの終端部分によって定義される平面に対して平行に延在する平面を定義する。接続要素は、印刷された回路ボードに挿入され、同時に、装置は、ディテイナーを介してフレーム及び／又は印刷された回路ボード上に支持される。接続要素は、ハンダ付け操作の完了後に装置から分離される。
【００１７】
本発明の実施態様は、添付図を参照して下記に詳細に記載されるであろう。
【発明を実施するための最良の形態】
【００１８】
図１に示される装置１は、例えば、金属シートなどの電気的に伝導性物質からパンチされて、適切な形状に曲げられる。
【００１９】
装置は、接続ストリップ２と、複数のＬ字型の接続要素３ａ乃至３ｋから構成される。各接続要素３ａ乃至３ｋの終端部分は直角に曲げられて、２つの突出５及び６を備えて提供され、それによって、接続要素３ａ乃至３ｋは印刷された回路ボード上に支持される。図２は、簡素化のために拡大したスケールの突出を示す。
【００２０】
毎回、２つの接続要素３ａと３ｂとの間には、終端部分がさらに直角に曲げられた、それぞれのＬ字型のディテイナー４ａ乃至４ｊが提供される。
【００２１】
接続ストリップ２は、接続要素３ａ乃至３ｋをガイドし、ディテイナー４ａ乃至４ｊを安定化するように意図される。印刷された回路ボードは、接続要素がハンダ付けされる段階でハンダ付け処理を受ける一方で、ディテイナー４ａ乃至４ｊは装置１の位置を固定する。このために、ディテイナーは信号受信機のフレーム上に重みをかける。
【００２２】
図３は信号受信機のフレーム７に提供される装置１を示す。装置１は、ハンダ付け処理の開始に先立ってフレーム７に設置される。装置１の接続要素３ａ乃至３ｋは、次いで、この目的のために印刷された回路ボード（示されていない）に提供された孔に挿入される。一方で、接続要素３ａ乃至３ｋは、ディテイナー４ａ乃至４ｊを介して支持される。各接続要素３ａ乃至３ｋの突出５及び６は、印刷された回路ボード上に重みをかける。
【００２３】
ハンダ付け処理の段階において、必要なハンダ付けられた接続は、接続要素と印刷された回路ボードとの間に確立される。次いで、印刷された回路ボードだけでなく、全体の装置１も高温度を受ける。
【００２４】
ハンダ付け処理の完了後、ディテイナー４ａ乃至４ｊと同様に、接続ストリップ２も除去される。残存する接続要素３ａ乃至３ｋは、機器の他の電気的な印刷された回路ボードに対して電気的な接続を構成する。
【図面の簡単な説明】
【００２５】
【図１】装置を示す図である。
【図２】拡大したスケールで接続要素の詳細を示す図である。
【図３】装置を備える信号受信機のフレームを示す図である。
【図１】
2005518649.tif 000003
【図２】
2005518649.tif 000004
【図３】
2005518649.tif 000005
【国際調査報告】
2005518649.tif 000006
2005518649.tif 000007